(57)【特許請求の範囲】
【請求項１】
廃棄物を燃焼させる燃焼室と、
この燃焼室からの燃焼ガスを外気へ排気する燃焼ガス排気通路と、
前記燃焼ガスの一部を利用して含水廃棄物を乾燥させる乾燥室と、
バ−ナ−等によって強制的に燃焼させる予備燃焼室と、
前記燃焼ガス排気通路の中途と前記乾燥室とを接続する乾燥室導入通路と、
前記乾燥室と前記予備燃焼室とを接続する予備燃焼室導入通路と、
前記予備燃焼室と前記燃焼室とを接続する燃焼室導入通路とを有し、
前記燃焼室からの燃焼ガスの一部を前記燃焼室に戻すように、順次、前記乾燥室導入通路、前記乾燥室、前記予備燃焼室導入通路、前記予備燃焼室、前記燃焼室導入通路を連通して接続するバイパス通路が形成され、
このバイパス通路の中途に設けられ、前記燃焼室からの燃焼ガスの一部を吸引し、前記燃焼室へ戻す気体移送手段と
を備えたことを特徴とする燃焼装置。
【請求項２】
廃棄物を燃焼させる燃焼室と、
この燃焼室からの燃焼ガスを外気へ排気する燃焼ガス排気通路と、
前記燃焼ガスの一部を利用して含水廃棄物を乾燥させる乾燥室と、
バ−ナ−等によって強制的に燃焼させる予備燃焼室と、
前記燃焼ガス排気通路の中途と前記乾燥室とを接続する乾燥室導入通路と、
前記乾燥室と前記予備燃焼室とを接続する予備燃焼室導入通路と、
前記予備燃焼室と前記燃焼室とを接続する燃焼室導入通路とを有し、
前記燃焼室からの燃焼ガスの一部を前記燃焼室に戻すように、順次、前記乾燥室導入通路、前記乾燥室、前記予備燃焼室導入通路、前記予備燃焼室、前記燃焼室導入通路を連通して接続するバイパス通路が形成され、
このバイパス通路の中途に設けられ、前記燃焼室からの燃焼ガスの一部を吸引し、前記燃焼室へ戻す気体移送手段と
この気体移送手段は、
前記バイパス通路の中途であって前記予備燃焼室の上流側に設けられた第
１のファンと
前記バイパス通路の中途であって前記予備燃焼室の下流側に設けられた第
２のファンと
からなり、
前記燃焼室導入通路の外側を外気に臨ませ、外気と熱交換させた
ことを特徴とする燃焼装置。
【請求項３】
廃棄物を燃焼させる燃焼室と、
この燃焼室からの燃焼ガスを外気へ排気する燃焼ガス排気通路と、
前記燃焼ガスの一部を利用して含水廃棄物を乾燥させる乾燥室と、
バ−ナ−等によって強制的に燃焼させる予備燃焼室と、
前記燃焼ガス排気通路の中途と前記乾燥室とを接続する乾燥室導入通路と、
前記乾燥室と前記予備燃焼室とを接続する予備燃焼室導入通路と、
前記予備燃焼室と前記燃焼室とを接続する燃焼室導入通路とを有し、
前記燃焼室からの燃焼ガスの一部を前記燃焼室に戻すように、順次、前記乾燥室導入通路、前記乾燥室、前記予備燃焼室導入通路、前記予備燃焼室、前記燃焼室導入通路を連通して接続するバイパス通路が形成され、
このバイパス通路の中途に設けられ、前記燃焼室からの燃焼ガスの一部を吸引し、前記燃焼室へ戻す気体移送手段と、
前記バイパス通路の中途であって前記予備燃焼室の下流側に設けて、前記予備燃焼室で燃焼したガス中の固形物を除去するフィルタと
を備えたことを特徴とする燃焼装置。
【請求項４】
廃棄物を燃焼させる燃焼室と、
この燃焼室からの燃焼ガスを外気へ排気する燃焼ガス排気通路と、
前記燃焼ガスの一部を利用して含水廃棄物を乾燥させる乾燥室と、
バ−ナ−等によって強制的に燃焼させる予備燃焼室と、
前記燃焼ガス排気通路の中途と前記乾燥室とを接続する乾燥室導入通路と、
前記乾燥室と前記予備燃焼室とを接続する予備燃焼室導入通路と、
前記予備燃焼室と前記燃焼室とを接続する燃焼室導入通路とを有し、
前記燃焼室からの燃焼ガスの一部を前記燃焼室に戻すように、順次、前記乾燥室導入通路、前記乾燥室、前記予備燃焼室導入通路、前記予備燃焼室、前記燃焼室導入通路を連通して接続するバイパス通路が形成され、
このバイパス通路の中途に設けられ、前記燃焼室からの燃焼ガスの一部を吸引し、前記燃焼室へ戻す気体移送手段と、
前記乾燥室内に設けられ、前記含水廃棄物を収納し、周囲に通気部を有して回転する長手形状の回転ドラムと、
前記乾燥室導入通路の一端側を前記乾燥室内に臨むように設けると共に該一端側を前記回転ドラムの中であって、該回転ドラムの長手方向に沿って位置させ、更に、回転ドラムの中であって、回転ドラムの長手方向に沿って設けた一端側の乾燥室導入通路に複数の開口部を設け、該複数の開口部が乾燥室を臨むように設け、
前記乾燥室導入通路に導かれた前記燃焼室からの燃焼ガスを前記複数の開口部から流出させた
ことを特徴とする燃焼装置。
【請求項５】
廃棄物を燃焼させる燃焼室と、
この燃焼室からの燃焼ガスを外気へ排気する燃焼ガス排気通路と、
前記燃焼ガスの一部を利用して含水廃棄物を乾燥させる乾燥室と、
バ−ナ−等によって強制的に燃焼させる予備燃焼室と、
前記燃焼ガス排気通路の中途と前記乾燥室とを接続する乾燥室導入通路と、
前記乾燥室と前記予備燃焼室とを接続する予備燃焼室導入通路と、
前記予備燃焼室と前記燃焼室とを接続する燃焼室導入通路とを有し、
前記燃焼室からの燃焼ガスの一部を前記燃焼室に戻すように、順次、前記乾燥室導入通路、前記乾燥室、前記予備燃焼室導入通路、前記予備燃焼室、前記燃焼室導入通路を連通して接続するバイパス通路が形成され、
このバイパス通路の中途に設けられ、前記燃焼室からの燃焼ガスの一部を吸引し、前記燃焼室へ戻す気体移送手段とを設け、
少なくとも、前記燃焼室での燃焼が弱い時に、前記予備燃焼室内で燃焼させることを特徴とする燃焼装置の燃焼方法。
【発明の詳細な説明】
【０００１】
本発明は、燃焼装置及び燃焼装置の燃焼方法に係り、特に、乾燥室で含水廃棄物を乾燥させる際、発生する臭いを除去するようにした燃焼装置及び燃焼装置の燃焼方法に関する。
【０００２】
【従来の技術】
本発明者は、多量の水分を含有している含水廃棄物を蒸発させて、可燃成分を燃焼させる含水物焼却システムを特開平７−243627号公報に開示した。
【０００３】
この公報記載のものは、含水廃棄物を焼却炉に投入する前に、焼却炉で排気される燃焼ガスの一部を利用して乾燥室内に置かれた含水廃棄物を乾燥させるもので、乾燥に使用した気体は、再度、焼却炉に戻されている。
【０００４】
【発明が解決しようとする課題】
しかしながら、この含水物焼却システムを実際に使用してみると、含水廃棄物を乾燥させた後の気体はかなりの臭気を含んでおり、この気体を燃焼室に入れて燃焼室内で燃焼させても、燃焼室内の燃焼状態に左右され、燃焼し切れない場合があり、これを放置しておくと、臭気を含んだ気体を外気へ排気することとなり、悪臭公害を発生させてしまうという欠点を有している。
【０００５】
また、燃焼ガスは含水廃棄物が載置された乾燥台の下方に蛇行状に設けた配管内を通過させて乾燥台を暖め、乾燥台に載置された含水廃棄物を間接的に熱伝達させて暖めているため、含水廃棄物の乾燥効率が悪いという問題点も生じた。
【０００６】
本発明は、上記欠点を解消するようにした燃焼装置及び燃焼装置の燃焼方法を提供することを目的としている。
【０００７】
【課題を解決するための手段】
上記目的を達成するために、本発明の燃焼装置は、廃棄物を燃焼させる燃焼室と、この燃焼室からの燃焼ガスを外気へ排気する燃焼ガス排気通路と、前記燃焼ガスの一部を利用して含水廃棄物を乾燥させる乾燥室と、バ−ナ−等によって強制的に燃焼させる予備燃焼室と、前記燃焼ガス排気通路の中途と前記乾燥室とを接続する乾燥室導入通路と、前記乾燥室と前記予備燃焼室とを接続する予備燃焼室導入通路と、前記予備燃焼室と前記燃焼室とを接続する燃焼室導入通路とを有し、前記燃焼室からの燃焼ガスの一部を前記燃焼室に戻すように、順次、前記乾燥室導入通路、前記乾燥室、前記予備燃焼室導入通路、前記予備燃焼室、前記燃焼室導入通路を連通して接続するバイパス通路が形成され、このバイパス通路の中途に設けられ、前記燃焼室からの燃焼ガスの一部を吸引し、前記燃焼室へ戻す気体移送手段とを備えたものである。
【０００８】
また、本発明の燃焼装置は、廃棄物を燃焼させる燃焼室と、この燃焼室からの燃焼ガスを外気へ排気する燃焼ガス排気通路と、前記燃焼ガスの一部を利用して含水廃棄物を乾燥させる乾燥室と、バ−ナ−等によって強制的に燃焼させる予備燃焼室と、前記燃焼ガス排気通路の中途と前記乾燥室とを接続する乾燥室導入通路と、前記乾燥室と前記予備燃焼室とを接続する予備燃焼室導入通路と、前記予備燃焼室と前記燃焼室とを接続する燃焼室導入通路とを有し、前記燃焼室からの燃焼ガスの一部を前記燃焼室に戻すように、順次、前記乾燥室導入通路、前記乾燥室、前記予備燃焼室導入通路、前記予備燃焼室、前記燃焼室導入通路を連通して接続するバイパス通路が形成され、このバイパス通路の中途に設けられ、前記燃焼室からの燃焼ガスの一部を吸引し、前記燃焼室へ戻す気体移送手段と、この気体移送手段は、前記バイパス通路の中途であって前記予備燃焼室の上流側に設けられた第１のファンと、前記バイパス通路の中途であって前記予備燃焼室の下流側に設けられた第２のファンとからなり、前記燃焼室導入通路の外側を外気に臨ませ、外気と熱交換させたものである。
【０００９】
また、本発明の燃焼装置は、廃棄物を燃焼させる燃焼室と、この燃焼室からの燃焼ガスを外気へ排気する燃焼ガス排気通路と、前記燃焼ガスの一部を利用して含水廃棄物を乾燥させる乾燥室と、バ−ナ−等によって強制的に燃焼させる予備燃焼室と、前記燃焼ガス排気通路の中途と前記乾燥室とを接続する乾燥室導入通路と、前記乾燥室と前記予備燃焼室とを接続する予備燃焼室導入通路と、前記予備燃焼室と前記燃焼室とを接続する燃焼室導入通路とを有し、前記燃焼室からの燃焼ガスの一部を前記燃焼室に戻すように、順次、前記乾燥室導入通路、前記乾燥室、前記予備燃焼室導入通路、前記予備燃焼室、前記燃焼室導入通路を連通して接続するバイパス通路が形成され、このバイパス通路の中途に設けられ、前記燃焼室からの燃焼ガスの一部を吸引し、前記燃焼室へ戻す気体移送手段と、前記バイパス通路の中途であって前記予備燃焼室の下流側に設けて、前記予備燃焼室で燃焼したガス中の固形物を除去するフィルタとを備えたものである。
【００１０】
また、本発明の燃焼装置は、廃棄物を燃焼させる燃焼室と、この燃焼室からの燃焼ガスを外気へ排気する燃焼ガス排気通路と、前記燃焼ガスの一部を利用して含水廃棄物を乾燥させる乾燥室と、バ−ナ−等によって強制的に燃焼させる予備燃焼室と、前記燃焼ガス排気通路の中途と前記乾燥室とを接続する乾燥室導入通路と、前記乾燥室と前記予備燃焼室とを接続する予備燃焼室導入通路と、前記予備燃焼室と前記燃焼室とを接続する燃焼室導入通路とを有し、前記燃焼室からの燃焼ガスの一部を前記燃焼室に戻すように、順次、前記乾燥室導入通路、前記乾燥室、前記予備燃焼室導入通路、前記予備燃焼室、前記燃焼室導入通路を連通して接続するバイパス通路が形成され、このバイパス通路の中途に設けられ、前記燃焼室からの燃焼ガスの一部を吸引し、前記燃焼室へ戻す気体移送手段と、前記乾燥室内に設けられ、前記含水廃棄物を収納し、周囲に通気部を有して回転する長手形状の回転ドラムと、前記乾燥室導入通路の一端側を前記乾燥室内に臨むように設けると共に該一端側を前記回転ドラムの中であって、該回転ドラムの長手方向に沿って位置させ、更に、回転ドラムの中であって、回転ドラムの長手方向に沿って設けた一端側の乾燥室導入通路に複数の開口部を設け、該複数の開口部が乾燥室を臨むように設け、前記乾燥室導入通路に導かれた前記燃焼室からの燃焼ガスを前記複数の開口部から流出させたものである。
【００１１】
また、本発明の燃焼装置の燃焼方法は、廃棄物を燃焼させる燃焼室と、この燃焼室からの燃焼ガスを外気へ排気する燃焼ガス排気通路と、前記燃焼ガスの一部を利用して含水廃棄物を乾燥させる乾燥室と、バ−ナ−等によって強制的に燃焼させる予備燃焼室と、前記燃焼ガス排気通路の中途と前記乾燥室とを接続する乾燥室導入通路と、前記乾燥室と前記予備燃焼室とを接続する予備燃焼室導入通路と、前記予備燃焼室と前記燃焼室とを接続する燃焼室導入通路とを有し、前記燃焼室からの燃焼ガスの一部を前記燃焼室に戻すように、順次、前記乾燥室導入通路、前記乾燥室、前記予備燃焼室導入通路、前記予備燃焼室、前記燃焼室導入通路を連通して接続するバイパス通路が形成され、このバイパス通路の中途に設けられ、前記燃焼室からの燃焼ガスの一部を吸引し、前記燃焼室へ戻す気体移送手段とを設け、少なくとも、前記燃焼室での燃焼が弱い時に、前記予備燃焼室内で燃焼させるものである。
【００１２】
【実施例】
本発明の一実施例を図面を参照して説明すると、１は、図１に示すように、燃焼装置で、燃焼装置１は、概略的に、廃棄物を焼却処分する燃焼部２と、この燃焼部２で生じた燃焼ガスの熱を利用して含水廃棄物を乾燥させる乾燥室３とで構成されている。
【００１３】
なお、燃焼装置１に乾燥室３が設けられているのは、比較的多量の水分を含有している含水廃棄物を燃焼部２で焼却する前に、乾燥室３で燃焼ガスの廃熱を利用して乾燥させるためである。なお、含水廃棄物をそのまま燃焼部２で焼却処分すると、含水廃棄物に含まれる水を蒸発するために多くの熱量を要し、燃焼部２での焼却効率が悪くなってしまう。
【００１４】
燃焼部２は、図２及び図３に示すように、耐熱製コンクリ−ト炉体４内を仕切り壁５により廃棄物を燃焼させる燃焼室６とサイクロン室７とに仕切られており、燃焼室６とサイクロン室７とは通路８で連通されている。
【００１５】
また、燃焼室６の上部には炉蓋９が、サイクロン室７の上部には、燃焼室６からの燃焼ガスを外気へ排気する燃焼ガス排気通路10（例えば、煙突）がそれぞれ位置している。そして、炉蓋９を移動させることにより、燃焼室６の上部が開口し、開口した燃焼室６の上部より、廃棄物が投入できるようになっている。
【００１６】
また、図４及び図５に示すように、３は燃焼ガスの一部を利用して含水廃棄物Ｚを乾燥させる乾燥室で、乾燥室３内には、乾燥室導入通路13の一端側13ａが臨むように、例えば、乾燥室３内の上方に設けられている。
【００１７】
また、乾燥室導入通路13の一端側13ａには、乾燥室３に臨むように、例えば、乾燥室３の下方に臨むように、複数の開口部13ｂ、13ｂが設けられている。そして、一端側13ａは支持部材13ｃ、13ｃで固定されており、一端側13ａの外周を摺動するように長手形状の回転ドラム30が設けられている。
【００１８】
即ち、乾燥室導入通路13の一端側13ａを乾燥室３内に臨むように設けると共に該一端側13ａを回転ドラム30の中であって、該回転ドラム30の長手方向に沿って位置させ、更に、回転ドラム30の中であって、回転ドラム30の長手方向に沿って設けた一端側13ａの乾燥室導入通路13に複数の開口部13ｂ、13ｂを設け、複数の開口部13ｂ、13ｂが乾燥室３を臨むように設けている。
【００１９】
なお、回転ドラム30の筒体30ｔの内周面は乾燥室導入通路13の一端側13ａの外周に摺動するように設けられており、30ｇは筒体30ｔの外周面に設けられた軸受け、30ｓはスプロケットで、30ｒはモ−タ30ｍの回転をスプロケット30ｓに伝達するロ−ラチェ−ンである。
【００２０】
そして、回転ドラム30は、図５及び図６に示すように、例えば、概略的に、断面が六角形の筒体で、筒体の外側、つまり、外周部に通気部30ａを有して回転するもので、開閉自在な扉30ｂを介して含水廃棄物Ｚが出し入れできるようになっている。
【００２１】
その結果、乾燥室導入通路13に導かれた燃焼室６からの比較的高温の燃焼ガスは複数の開口部13ｂ、13ｂから流出し、回転ドラム30内に収納された含水廃棄物Ｚに直接当たって乾燥させることができる。
【００２２】
また、回転ドラム30の下方には、回転ドラム30で乾燥した含水廃棄物Ｚを受け取る受け部３ｕが設けられ、この受け部３ｕは乾燥室３内へ出し入れ自在なようにレ−ル３Ｌ上に載置されている。
【００２３】
また、図１に示すように、12はバ−ナ−等によって強制的に燃焼させる予備燃焼室、13は燃焼ガス排気通路10の中途と乾燥室３とを接続する乾燥室導入通路、14は乾燥室３と予備燃焼室12とを接続する予備燃焼室導入通路、15は予備燃焼室12と燃焼室６とを接続する燃焼室導入通路である。
【００２４】
そして、燃焼室６からの燃焼ガスの一部を燃焼室６に戻すように、順次、乾燥室導入通路13、乾燥室３、予備燃焼室導入通路14、予備燃焼室12、燃焼室導入通路15を連通して接続するバイパス通路Ｂが形成されている。
【００２５】
また、燃焼室導入通路15は、中途に外気を直接導入する外気導入通路15ｘに接続され、燃焼室６に臨む燃焼室導入通路15の先端部には、燃焼室導入開口部15ａが設けられている。
【００２６】
また、予備燃焼室12は、図７に示すように、バ−ナ−12ｂ等によって強制的に燃焼させるところで、予備燃焼室12内に導入された気体中の臭気成分は燃焼し、、臭気を除去することができる。20、21は乾燥室３で含水廃棄物Ｚを乾燥する際発生する蒸気中に溶け込んでいるゼラチン等の固形物を除去するフィルタで、フィルタ20、21は、バイパス通路Ｂの中途であって、予備燃焼室12の下流側に設けられている。
【００２７】
特に、少なくとも、燃焼室６での燃焼が弱い時に、予備燃焼室12内で燃焼させれば、燃焼室６での燃焼が弱い時に、燃焼室６内に廃棄物を投入することなく、予備燃焼室12内で臭気を含んだ気体を燃焼させることにより、臭気を含んだ気体を迅速に外気へ放出することができる。
【００２８】
そして、図１に示すように、バイパス通路Ｂの中途に設けられた気体移送手段（例えば、第１のファンＦ１、第２のファンＦ２）により、燃焼室６からの燃焼ガスの一部を吸引し、燃焼室６へ戻している。
【００２９】
気体移送手段は、例えば、バイパス通路Ｂの中途であって予備燃焼室12の上流側に設けられた第１のファンＦ１と、バイパス通路Ｂの中途であって予備燃焼室12の下流側に設けられた第２のファンＦ２とからなっている。
【００３０】
特に、燃焼室導入通路15の外側を外気に臨ませ、外気と熱交換させて、予備燃焼室12内で発生した燃焼ガスを冷却して第２のファンＦ２に導き、第２のファンＦ２を高温状態から保護することができ、第２のファンＦ２の損傷を防止している。
【００３１】
従って、燃焼装置１においては、炉蓋９を開いて燃焼室６内に廃棄物を投入し、該廃棄物を燃焼させると、燃焼ガスは通路８、サイクロン室７を通って燃焼ガス排気通路10から大気へ放出される。
【００３２】
一方、第１のファンＦ１により燃焼ガスの一部が燃焼ガス排気通路10（煙突）、乾燥室導入通路13を介して乾燥室３内に導かれ、複数の開口部13ｂ、13ｂを介して乾燥室３内に導かれた燃焼ガスは回転している回転ドラム30内に収納されている含水廃棄物Ｚを乾燥させる。
【００３３】
含水廃棄物Ｚを乾燥させた気体は、第２のファンＦ２により、予備燃焼室導入通路14を介して予備燃焼室12内に導かれる。予備燃焼室12内では、バ−ナ−12ｂ等によって強制的に燃焼させられる。
【００３４】
予備燃焼室12内で燃焼した燃焼ガスは、燃焼室導入通路15を介して燃焼室６内に戻される。燃焼室６では、予備燃焼室12内で燃焼しきれなかった臭気を含んだ気体は、燃焼室６内で燃焼し、臭気を含んだ気体が大気へ放出されるのを防止している。
【００３５】
なお、乾燥室３で乾燥した含水廃棄物Ｚは、燃焼部２で焼却処分しても良いが、燃焼部２以外のところで処分しても良い。また、前述の実施例では、複数の開口部13ｂ、13ｂは、乾燥室３の下方に臨むように乾燥室導入通路13の一端側13の下方部に設けたが、望ましくは、複数の開口部13ｂ、13ｂは乾燥室導入通路13の一端側13の全周に亙って設けた方が良い。
【００３６】
【発明の効果】
本発明の燃焼装置は、廃棄物を燃焼させる燃焼室と、この燃焼室からの燃焼ガスを外気へ排気する燃焼ガス排気通路と、前記燃焼ガスの一部を利用して含水廃棄物を乾燥させる乾燥室と、バ−ナ−等によって強制的に燃焼させる予備燃焼室と、前記燃焼ガス排気通路の中途と前記乾燥室とを接続する乾燥室導入通路と、前記乾燥室と前記予備燃焼室とを接続する予備燃焼室導入通路と、前記予備燃焼室と前記燃焼室とを接続する燃焼室導入通路とを有し、前記燃焼室からの燃焼ガスの一部を前記燃焼室に戻すように、順次、前記乾燥室導入通路、前記乾燥室、前記予備燃焼室導入通路、前記予備燃焼室、前記燃焼室導入通路を連通して接続するバイパス通路が形成され、このバイパス通路の中途に設けられ、前記燃焼室からの燃焼ガスの一部を吸引し、前記燃焼室へ戻す気体移送手段とを備えたものであるから、燃焼室内で生じた燃焼ガスの一部を利用して乾燥室内で含水廃棄物を乾燥させ、その際、生じる臭気を含んだ気体を燃焼室に入れる前に、予備燃焼室内で燃焼させ、予備燃焼室内で燃焼しきれなかった臭気を含んだ気体を燃焼室内で、更に、燃焼させることにより、臭気を含んだ気体を外気へ排出するのを防止することができる。
【００３７】
また、本発明の燃焼装置は、廃棄物を燃焼させる燃焼室と、この燃焼室からの燃焼ガスを外気へ排気する燃焼ガス排気通路と、前記燃焼ガスの一部を利用して含水廃棄物を乾燥させる乾燥室と、バ−ナ−等によって強制的に燃焼させる予備燃焼室と、前記燃焼ガス排気通路の中途と前記乾燥室とを接続する乾燥室導入通路と、前記乾燥室と前記予備燃焼室とを接続する予備燃焼室導入通路と、前記予備燃焼室と前記燃焼室とを接続する燃焼室導入通路とを有し、前記燃焼室からの燃焼ガスの一部を前記燃焼室に戻すように、順次、前記乾燥室導入通路、前記乾燥室、前記予備燃焼室導入通路、前記予備燃焼室、前記燃焼室導入通路を連通して接続するバイパス通路が形成され、このバイパス通路の中途に設けられ、前記燃焼室からの燃焼ガスの一部を吸引し、前記燃焼室へ戻す気体移送手段とを設けたから、燃焼室内で生じた燃焼ガスの一部を利用して乾燥室内で含水廃棄物を乾燥させ、その際、生じる臭気を含んだ気体を燃焼室に入れる前に、予備燃焼室内で燃焼させ、予備燃焼室内で燃焼しきれなかった臭気を含んだ気体を燃焼室内で、更に、燃焼させることにより、臭気を含んだ気体を外気へ排出するのを防止することができ、
また、気体移送手段は、バイパス通路の中途であって予備燃焼室の上流側に設けられた第１のファンと、バイパス通路の中途であって予備燃焼室の下流側に設けられた第２のファンとからなり、燃焼室導入通路の外側を外気に臨ませ、外気と熱交換させたものであるから、予備燃焼室内で発生した燃焼ガスを冷却して第２のファンに導き、第２のファンを高温状態から保護することができ、第２のファンの損傷を防止することができる。
【００３８】
また、本発明の燃焼装置は、廃棄物を燃焼させる燃焼室と、この燃焼室からの燃焼ガスを外気へ排気する燃焼ガス排気通路と、前記燃焼ガスの一部を利用して含水廃棄物を乾燥させる乾燥室と、バ−ナ−等によって強制的に燃焼させる予備燃焼室と、前記燃焼ガス排気通路の中途と前記乾燥室とを接続する乾燥室導入通路と、前記乾燥室と前記予備燃焼室とを接続する予備燃焼室導入通路と、前記予備燃焼室と前記燃焼室とを接続する燃焼室導入通路とを有し、前記燃焼室からの燃焼ガスの一部を前記燃焼室に戻すように、順次、前記乾燥室導入通路、前記乾燥室、前記予備燃焼室導入通路、前記予備燃焼室、前記燃焼室導入通路を連通して接続するバイパス通路が形成され、このバイパス通路の中途に設けられ、前記燃焼室からの燃焼ガスの一部を吸引し、前記燃焼室へ戻す気体移送手段とを設けたから、
燃焼室内で生じた燃焼ガスの一部を利用して乾燥室内で含水廃棄物を乾燥させ、その際、生じる臭気を含んだ気体を燃焼室に入れる前に、予備燃焼室内で燃焼させ、更に、予備燃焼室内で燃焼しきれなかった臭気を含んだ気体を燃焼室内で燃焼させることにより、臭気を含んだ気体を外気へ排気するのを防止することができ、
また、前記バイパス通路の中途であって前記予備燃焼室の下流側に設けて、前記予備燃焼室で燃焼したガス中の固形物を除去するフィルタで除去されるから、燃焼室導入通路が固形物（例えば、含水廃棄物中に含まれるゼラチン）で詰まることを防止することができる。
【００３９】
また、本発明の燃焼装置は、廃棄物を燃焼させる燃焼室と、この燃焼室からの燃焼ガスを外気へ排気する燃焼ガス排気通路と、前記燃焼ガスの一部を利用して含水廃棄物を乾燥させる乾燥室と、バ−ナ−等によって強制的に燃焼させる予備燃焼室と、前記燃焼ガス排気通路の中途と前記乾燥室とを接続する乾燥室導入通路と、前記乾燥室と前記予備燃焼室とを接続する予備燃焼室導入通路と、前記予備燃焼室と前記燃焼室とを接続する燃焼室導入通路とを有し、前記燃焼室からの燃焼ガスの一部を前記燃焼室に戻すように、順次、前記乾燥室導入通路、前記乾燥室、前記予備燃焼室導入通路、前記予備燃焼室、前記燃焼室導入通路を連通して接続するバイパス通路が形成され、このバイパス通路の中途に設けられ、前記燃焼室からの燃焼ガスの一部を吸引し、前記燃焼室へ戻す気体移送手段とを設けたから、燃焼室内で生じた燃焼ガスの一部を利用して乾燥室内で含水廃棄物を乾燥させ、その際、生じる臭気を含んだ気体を燃焼室に入れる前に、予備燃焼室内で燃焼させ、更に、予備燃焼室内で燃焼しきれなかった臭気を含んだ気体を燃焼室内で燃焼させることにより、臭気を含んだ気体を外気へ排気するのを防止することができ、
また、乾燥室内に設けられ、前記含水廃棄物を収納し、周囲に通気部を有して回転する長手形状の回転ドラムと、前記乾燥室導入通路の一端側を前記乾燥室内に臨むように設けると共に該一端側を前記回転ドラムの中であって、該回転ドラムの長手方向に沿って位置させ、更に、回転ドラムの中であって、回転ドラムの長手方向に沿って設けた一端側の乾燥室導入通路に複数の開口部を設け、該複数の開口部が乾燥室を臨むように設け、前記乾燥室導入通路に導かれた前記燃焼室からの燃焼ガスを前記複数の開口部から流出させたものであるから、燃焼室内で生じた燃焼ガスを含水廃棄物に直接当てて熱交換させ、含水廃棄物をより乾燥させることができる。
【００４０】
また、本発明の燃焼装置の燃焼方法は、廃棄物を燃焼させる燃焼室と、この燃焼室からの燃焼ガスを外気へ排気する燃焼ガス排気通路と、前記燃焼ガスの一部を利用して含水廃棄物を乾燥させる乾燥室と、バ−ナ−等によって強制的に燃焼させる予備燃焼室と、前記燃焼ガス排気通路の中途と前記乾燥室とを接続する乾燥室導入通路と、前記乾燥室と前記予備燃焼室とを接続する予備燃焼室導入通路と、前記予備燃焼室と前記燃焼室とを接続する燃焼室導入通路とを有し、前記燃焼室からの燃焼ガスの一部を前記燃焼室に戻すように、順次、前記乾燥室導入通路、前記乾燥室、前記予備燃焼室導入通路、前記予備燃焼室、前記燃焼室導入通路を連通して接続するバイパス通路が形成され、このバイパス通路の中途に設けられ、前記燃焼室からの燃焼ガスの一部を吸引し、前記燃焼室へ戻す気体移送手段とを設けたから、
燃焼室内で生じた燃焼ガスの一部を利用して乾燥室内で含水廃棄物を乾燥させ、その際、生じる臭気を含んだ気体を燃焼室に入れる前に、予備燃焼室内で燃焼させ、更に、予備燃焼室内で燃焼しきれなかった臭気を含んだ気体を燃焼室内で燃焼させることにより、臭気を含んだ気体を外気へ排気するのを防止することができ、
また、少なくとも、燃焼室での燃焼が弱い時に、予備燃焼室内で燃焼させるから、燃焼室での燃焼が弱い時に、燃焼室内に廃棄物を投入することなく、予備燃焼室内で臭気を含んだ気体を燃焼させることにより、臭気を含んだ気体を迅速に外気へ放出することができる。
【図面の簡単な説明】
【図１】図１は、本発明の一実施例の燃焼装置の概略的正面断面図である。
【図２】図２は、図１の燃焼装置の燃焼室部分を破断して拡大して示す概略的正面図である。
【図３】図３は、図２のＡ−Ａ線による概略的断面図である。
【図４】図４は、図１の燃焼装置の乾燥室部分の一部を破断して拡大して示す概略的正面図である。
【図５】図５は、図１の燃焼装置の乾燥室部分の概略的側断面図である。
【図６】図６は、図１の燃焼装置の乾燥室部分の一部を破断して拡大して示す概略的正面図である。
【図７】図７は、図１の燃焼装置の予備燃焼室の概略的側断面図である。
【符号の説明】
１        燃焼装置
３        乾燥室
６        燃焼室
12        予備燃焼室
13        乾燥室導入通路
14        予備燃焼室導入通路
15        燃焼室導入通路
【図１】
0003779367.tif 000002
【図２】
0003779367.tif 000003
【図３】
0003779367.tif 000004
【図４】
0003779367.tif 000005
【図５】
0003779367.tif 000006
【図６】
0003779367.tif 000007
【図７】
0003779367.tif 000008